(57)【要約】【課題】複数の重ね合わされた取付部材の仮保持ができると共に、この仮保持が再利用可能なクリップ構造を提供する。【解決手段】被取付部材３に対して複数の取付部材１，２を重ね合わせて仮保持し被取付部材３に対して締結手段４により取り付けるクリップ１０を有している。このクリップ１０は、前記複数の取付部材１，２を仮保持する仮保持手段１４と、前記複数の取付部材１，２が前記締結手段４により前記被取付部材３に締結される途中で前記仮保持手段１４による前記複数の取付部材１，２の仮保持を解除する解除手段１６とを備えている。【選択図】        図１
2004251339.tif 000002
【特許請求の範囲】
【請求項１】
被取付部材に対して複数の取付部材を重ね合わせて仮保持し被取付部材に対して締結手段により取り付けるクリップであって、
該クリップは、前記複数の取付部材を仮保持する仮保持手段と、前記複数の取付部材が前記締結手段により前記被取付部材に締結される途中で前記仮保持手段による前記複数の取付部材の仮保持を解除する解除手段とを備えていることを特徴とするクリップ構造。
【請求項２】
前記仮保持手段は、クリップ本体から前記被取付部材側に向けて立設された複数の弾性を有する係止片であり、該係止片は前記複数の取付部材に穿設された仮保持用穴に嵌脱自在であると共に、該仮保持用穴に嵌合時には前記仮保持用穴の周縁部に係止して前記複数の取付部材を保持する係止爪を備えていることを特徴とする請求項１に記載のクリップ構造。
【請求項３】
前記解除手段は、前記クリップ本体の前記複数の取付部材側から、前記被取付部材側へ向かって立設され前記被取付部材側に受圧面を有する解除ピンであり、且つ前記クリップにより仮保持された前記複数の取付部材が前記締結手段により前記被取付部材に締結されるときに前記解除ピンの受圧面が前記被取付部材に当接したのち、前記仮保持手段が前記複数の取付部材から離脱して仮保持を解除することを特徴とする請求項１又は２に記載のクリップ構造。
【請求項４】
前記解除ピンは、該解除ピンの受圧面が被取付部材から荷重を受けるとき、前記係止片の係止爪が前記仮保持用穴から離脱するのを許容する剛性を有することを特徴とする請求項３に記載のクリップ構造。
【請求項５】
前記仮保持手段と反対側に把持用のツマミを有することを特徴とする請求項１〜４の何れか１項に記載のクリップ構造。
【請求項６】
前記クリップは、複数の前記締結手段間に配設されていることを特徴とする請求項１〜５の何れか１項に記載のクリップ構造。
【請求項７】
前記係止片の係止爪は、前記複数の取付部材の仮保持用穴の周縁部に当接する傾斜面を有し、前記解除ピンが前記被取付部材に当接した状態で前記締結手段による前記複数の取付部材の締結時に前記係止片が前記仮保持用穴の内側方向に弾性変形することで前記係止爪が前記仮保持用穴の周縁部から外れることを特徴とする請求項１〜６の何れか１項に記載のクリップ構造。
【発明の詳細な説明】
【０００１】
【発明の属する技術分野】
本発明は、複数の取付部材を重ね合わせて被取付部材に取り付けるときに用いられるクリップ構造に関する。
【０００２】
【従来の技術】
従来、取付部材（ヒートインシュレータ）を被取付部（フロアパネル）に対して取り付ける際、仮止め用のナットを用いずに仮保持クリップを利用することで、取付部材の取付作業時における作業性の向上を図った仮保持クリップが知られている（特許文献１）。
【０００３】
【特許文献１】
特開平８−２７０７３２号公報。
【０００４】
【発明が解決しようとする課題】
しかしながら、従来の仮保持クリップにおいては、仮保持クリップを用いて取付部材を被取付部材に取り付けた場合、仮保持クリップは取付部材と共に被取付部材に取り付けられたままになっていて、仮保持クリップが再利用できないものであった。さらに、被取付部材から取付部材を解体する時には、仮保持クリップがナットにより押し潰された状態にあるため、解体が容易でないという問題があった。
【０００５】
本発明は、複数の重ね合わされた取付部材の仮保持ができると共に、この仮保持が再利用可能なクリップ構造を提供することを目的とするものである。
【０００６】
【課題を解決するための手段】
本発明は、上述事情に鑑みなされたものであって、請求項１に記載の発明は、被取付部材に対して複数の取付部材を重ね合わせて仮保持し被取付部材に対して締結手段により取り付けるクリップであって、該クリップは、前記複数の取付部材を仮保持する仮保持手段と、前記複数の取付部材が前記締結手段により前記被取付部材に締結される途中で前記仮保持手段による前記複数の取付部材の仮保持を解除する解除手段とを備えていることを特徴としている。
【０００７】
このように構成された請求項１の発明では、複数の取付部材はクリップにより重ね合わされた状態で保持されると共に、この複数の取付部材を締結手段により被取付部材に取り付けるときに、クリップによる複数の取付部材の仮保持は解除手段により解除される。このため、クリップを再利用することができてコスト低減ができると共に、複数の取付部材の解体を容易に行うことができる。
【０００８】
また、請求項２に記載の発明は、前記仮保持手段は、クリップ本体から前記被取付部材側に向けて立設された複数の弾性を有する係止片であり、該係止片は前記複数の取付部材に穿設された仮保持用穴に嵌脱自在であると共に、該仮保持用穴に嵌合時には前記仮保持用穴の周縁部に係止して前記複数の取付部材を保持する係止爪を備えていることを特徴としている。
【０００９】
このように構成された請求項２の発明では、複数の取付部材は、この複数の取付部材に穿設された仮保持用穴にクリップの係止片を嵌合させて係止爪を周縁部に係止させることで、複数の取付部材を容易に仮保持することができる。
【００１０】
また、請求項３に記載の発明は、前記解除手段は、前記クリップ本体の前記複数の取付部材側から、前記被取付部材側へ向かって立設され前記被取付部材側に受圧面を有する解除ピンであり、且つ前記クリップにより仮保持された前記複数の取付部材が前記締結手段により前記被取付部材に締結されるときに前記解除ピンの受圧面が前記被取付部材に当接したのち、前記仮保持手段が前記複数の取付部材から離脱して仮保持を解除することを特徴としている。
【００１１】
このように構成された請求項３の発明では、複数の取付部材の締結時において、解除ピンの先端面である受圧面が被取付部材により押圧されることにより、複数の取付部材を仮保持していたクリップの係止片が複数の取付部材の仮保持用穴から外れてクリップの再利用及びコスト低減をさせることができる。また、複数の取付部材の解体を容易に行うことができる。
【００１２】
また、請求項４に記載の発明は、前記解除ピンは、該解除ピンの受圧面が被取付部材から荷重を受けるとき、前記係止片の係止爪が前記仮保持用穴から離脱するのを許容する剛性を有することを特徴としている。
【００１３】
このように構成された請求項４の発明では、複数の取付部材の締結時において、解除ピンは被取付部材から入力される荷重を係止片に確実に伝達することができて、複数の取付部材からのクリップの離脱を確実に行わせることができる。
【００１４】
また、請求項５に記載の発明は、前記仮保持手段と反対側に把持用のツマミを有することを特徴としている。
【００１５】
このように構成された請求項５の発明では、複数の取付部材に対するクリップの取り付け操作を容易に行うことができる。
【００１６】
また、請求項６に記載の発明は、前記クリップは、複数の前記締結手段間に配設されていることを特徴としている。
【００１７】
このように構成された請求項６の発明では、複数の取付部材が複数箇所で締結されるときに、中間位置にあるクリップは解除ピンが被取付部材から略垂直に荷重を受けるので、複数の取付部材からのクリップの離脱を確実に行わせることができる。
【００１８】
また、請求項７に記載の発明は、前記係止片の係止爪は、前記複数の取付部材の仮保持用穴の周縁部に当接する傾斜面を有し、前記解除ピンが前記被取付部材に当接した状態で前記締結手段による前記複数の取付部材の締結時に前記係止片が前記仮保持用穴の内側方向に弾性変形することで前記係止爪が前記仮保持用穴の周縁部から外れることを特徴としている。
【００１９】
このように構成された請求項７の発明では、仮保持用穴からのクリップの抜き出し時において、係止片の傾斜面が仮保持用穴の周縁部により内側に押圧されるので、係止片は仮保持用穴の内側に確実に弾性変形されてクリップの離脱を確実に行わせることができる。
【００２０】
【発明の実施の形態】
以下、本発明の実施の形態を図面に基づいて説明する。
【００２１】
図１において、合成樹脂性の取付部材１と金属性の取付部材２からなる複数の取付部材１，２は、重ね合わされた状態で被取付部材３に締結されるものである。
【００２２】
上記複数の取付部材１，２には、締結手段としてのボルト４のネジ部５が挿通される複数の取付穴６がそれぞれ穿設されている。また、被取付部材３には、ネジ部５が螺合されるネジ部７を有する取付部８がそれぞれ固定されている。
【００２３】
仮保持手段としてのクリップ１０は、複数の取付部材１，２に穿設された仮保持用穴１１に嵌合されて重ね合わされた複数の取付部材１，２を仮保持するものである。
【００２４】
このクリップ１０は、フランジ状のクリップ本体１２を有しており、このクリップ本体１２の被取付部材３と反対側にはツマミ１３が設けられている。また、クリップ本体１２の被取付部材３側には、図２に示すように複数の係止片１４が略等間隔にして一体的に設けられている。
【００２５】
この係止片１４の自由端の外側には、係止爪１５がそれぞれ係止されている。
この係止爪１５は、図９において後述するように仮保持用穴１１の傾斜面２２に係止爪１５が係止することで複数の取付部材１，２を仮保持するものである。
【００２６】
さらに、クリップ本体１２の被取付部材３側の中央部には、解除手段としての解除ピン１６が一体的に立設されている。
【００２７】
この解除ピン１６の先端面である受圧面１７は、重ね合わされてクリップ１０により仮保持された複数の取付部材１，２が、ボルト４により被取付部材３に締結される途中において、被取付部材３の外面１８に当接する。この被取付部材３に対する受圧面１７の当接後、ボルト４による締結が進むにつれて外面１８から荷重が入力される。
【００２８】
上記解除ピン１６の受圧面１７が被取付部材３に当接したのちボルト４による締結が進められると、複数の取付部材１，２のみが被取付部材３側に移動するので、クリップ１０の係止片１４が複数の取付部材１，２の仮保持用穴１１から外れる。
【００２９】
これにより、クリップ１０は複数の取付部材１，２から離脱されて再利用可能となっていると共に、複数の取付部材１，２を仮保持するためのコスト低減が実現される。
【００３０】
図３、図４は、上記のようなクリップ１０により仮保持される複数の取付部材１，２を、タイヤ１９により支持される車両２０に適用した場合を示している。
【００３１】
同図において、合成樹脂性のバンパとしての取付部材１は、上部の取付板１ａと、この取付板１ａと一体であってサイド部１ｂ及び後部（又は前部）１ｃとを有している。
【００３２】
図４に示す取付部材１及び取付部材２は、仮保持用穴１１に装着されているクリップ１０（図５参照）により仮保持された状態で車両２０内の被取付部材３（図５参照）にボルト４により締結される。
【００３３】
この複数の取付部材１，２の締結の途中で、図５に示すように係止片１４の係止爪１５が仮保持用穴１１から抜けていって係止片１４が複数の取付部材１，２から離脱する（図６参照）。そして、図７は、クリップ１０が離脱した複数の取付部材１，２が、ボルト４により被取付部材３に締結された状態を示している。
【００３４】
次に、クリップ１０による複数の取付部材１，２の仮保持作用、及び仮保持しているクリップ１０離脱作用を図８及び図９により説明する。
【００３５】
図８（ａ）は、複数の取付部材１，２の仮保持用穴１１にクリップ１０が装着されて複数の取付部材１，２が仮保持された状態を示している。
【００３６】
上記クリップ１０の装着時において、クリップ１０の係止片１４は図９に示すように仮保持用穴１１を係止爪１５が挿通されるときに、二点鎖線１４Ａで示すように矢印２４方向、すなわち仮保持用穴１１の内側方向に弾性変形して仮保持用穴１１に挿入される。そして、係止爪１５を仮保持用穴１１の周縁部２３に係止することで、係止片１４は複数の取付部材１，２を仮保持する。
【００３７】
上記クリップ１０には、前述したようにツマミ１３を有しているのでクリップ１０の装着操作を容易に行うことができる。
【００３８】
図８（ｂ）図において、取付穴６に挿通されたボルト４を取付部８に螺合して締めて行くと、解除ピン１６の受圧面１７は（ｂ）図に示すように被取付部材３の外面１８から荷重を受ける。そして、複数の取付部材１，２のみが矢印２１で示す被取付部材３側に移動していくことで、クリップ１０は仮保持用穴１１から次第に離脱していく。
【００３９】
図９に示すように、上記係止片１４の係止爪１５には傾斜面２２が設けられている。このため、クリップ１０の係止片１４が離脱開始のとき、傾斜面２２が仮保持用穴１１の周縁部２３により押圧されて係止片１４が仮保持用穴１１の内側、すなわち二点鎖線１４Ａで示す位置へ容易に弾性変形することができる。
【００４０】
このため、ボルト４によ複数の取付部材１，２の締結時においてクリップ１０は複数の取付部材１，２から容易に離脱することができる。
【００４１】
そして、複数の取付部材１，２は図８（ｃ）図に示すように被取付部材３に締結されると共に、クリップ１０は完全に複数の取付部材１，２から離脱することができる。これにより、クリップ１０は、他の複数の取付部材１，２の仮保持に再利用することができて、複数の取付部材１，２の仮保持のコスト低減を実現することができる。
【００４２】
また、複数の取付部材１，２は、通常、複数箇所でボルト４により被取付部材３に締結されるものであり、この複数のボルト４間にクリップ１０を配置したことで、複数の取付部材１，２の締結時においてクリップ１０の解除ピン１６を被取付部材３に対して略垂直に保持することができる。
【００４３】
以上説明した発明の実施の形態のクリップ構造は、被取付部材３に対して複数の取付部材１，２を重ね合わせて仮保持し被取付部材３に対して締結手段４により取り付けるクリップ１０を有している。このクリップ１０は、前記複数の取付部材１，２を仮保持する仮保持手段１４と、前記複数の取付部材１，２が前記締結手段４により前記被取付部材３に締結される途中で前記仮保持手段１４による前記複数の取付部材１，２の仮保持を解除する解除手段１６とを備えている。
【００４４】
この構成によれば、複数の取付部材１，２は仮保持手段１４により重ね合わされた状態で保持されると共に、この複数の取付部材１，２を締結手段４により被取付部材３に取り付けるときに、仮保持手段１４による複数の取付部材１，２の仮保持は解除手段１６により解除される。このため、クリップ１０を再利用することができてコスト低減ができると共に、複数の取付部材１，２の解体を容易に行うことができる。
【００４５】
また、本発明の実施の形態のクリップ構造は、前記仮保持手段１４は、クリップ本体１から前記被取付部材３側に向けて立設された複数の弾性を有する係止片１４である。この係止片１４は前記複数の取付部材１，２に穿設された仮保持用穴１１に嵌脱自在であると共に、該仮保持用穴１１に嵌合時には前記仮保持用穴１１の周縁部２３に係止して前記複数の取付部材１，２を保持する係止爪２２を備えている。
【００４６】
この構成によれば、複数の取付部材１，２は、この複数の取付部材１，２に穿設された仮保持用穴１１にクリップ１０の係止片１４を嵌合させて係止爪１５を周縁部に係止させることで、複数の取付部材１，２を容易に仮保持することができる。
【００４７】
また、本発明の実施の形態のクリップ構造は、前記解除手段１６は、前記クリップ本体１の前記複数の取付部材１，２側から、前記被取付部材３側へ向かって立設され前記被取付部材３側に受圧面１７を有する解除ピン１６としている。この解除ピン１６は、前記クリップ１０により仮保持された前記複数の取付部材１，２が前記締結手段４により前記被取付部材３に締結されるときに前記解除ピン１６の受圧面１７が前記被取付部材３に当接したのち、前記仮保持手段１４が前記複数の取付部材１，２から離脱して仮保持を解除する。
【００４８】
この構成によれば、複数の取付部材１，２の締結時において、解除ピン１６の先端面である受圧面１７が被取付部材３により押圧されることにより、複数の取付部材１，２を仮保持していたクリップ１０の係止片１４が複数の取付部材１，２の仮保持用穴１１から外れてクリップ１０の再利用及びコスト低減をさせることができる。また、複数の取付部材１，２の解体を容易に行うことができる。
【００４９】
また、本発明の実施の形態のクリップ構造は、前記解除ピン１６は、該解除ピンの受圧面１７が被取付部材３から荷重を受けるとき、前記係止片１４の係止爪１５が前記仮保持用穴から離脱するのを許容する剛性を有している。
【００５０】
この構成によれば、複数の取付部材１，２の締結時において、解除ピン１６は被取付部材３から入力される荷重を係止片１４に確実に伝達することができて、複数の取付部材１，２からのクリップ１０の離脱を確実に行わせることができる。
【００５１】
また、本発明の実施の形態のクリップ構造は、前記仮保持手段１４と反対側に把持用のツマミ１３を有している。
【００５２】
この構成によれば、複数の取付部材１，２に対するクリップ１０の取り付け操作を容易に行うことができる。
【００５３】
また、本発明の実施の形態のクリップ構造は、前記クリップ１０は、複数の前記締結手段４間に配設されている。
【００５４】
この構成によれば、複数の取付部材１，２が複数箇所で締結されるときに、中間位置にあるクリップ１０は解除ピン１６が被取付部材３から略垂直に荷重を受けるので、複数の取付部材１，２からのクリップ１０の離脱を確実に行わせることができる。
【００５５】
また、本発明の実施の形態のクリップ構造は、前記係止片１４の係止爪１５は、前記複数の取付部材１，２の仮保持用穴１１の周縁部２３に当接する傾斜面２２を有する。そして、前記解除ピン１６が前記被取付部材３に当接した状態で前記締結手段４による前記複数の取付部材１，２の締結時に前記係止片１４が前記仮保持用穴１１の内側方向２４に弾性変形することで前記係止爪２２が前記仮保持用穴１１の周縁部２３から外れるようになっている。
【００５６】
この構成によれば、仮保持用穴１１からのクリップ１０の抜き出し時において、係止片１４の傾斜面２２が仮保持用穴１１の周縁部２３により内側に押圧されるので、係止片１４は仮保持用穴１１の内側に確実に弾性変形されてクリップ１０の離脱を確実に行わせることができる。
【００５７】
【発明の効果】
以上説明したように、本発明によれば、複数の取付部材はクリップにより重ね合わされた状態で保持されると共に、この複数の取付部材を締結手段により被取付部材に取り付けるときに、クリップによる複数の取付部材の仮保持は解除手段により解除される。このため、クリップを再利用することができてコスト低減ができると共に、複数の取付部材の解体を容易に行うことができる。
【図面の簡単な説明】
【図１】本発明に関わるクリップ構造の縦断側面図である。
【図２】図１におけるＡ−Ａ線矢視図である。
【図３】本発明に関わるクリップ構造が適用された車両の斜視図である。
【図４】同じく、図３の車両に締結される複数の取付部材の斜視図である。
【図５】図４の複数の取付部材の取付作用を示す断面図である。
【図６】図４の複数の取付部材の取付作用を示す断面図である。
【図７】図４の複数の取付部材の取付作用を示す断面図である。
【図８】図１に示すクリップ構造の作用図であって、（ａ）図は複数の取付部材の締結開始時を示す断面図、（ｂ）図は複数の取付部材の締結途中の断面図、（ｃ）図は複数の取付部材の締結後を示す断面図である。
【図９】クリップの係止片及び係止爪の詳細を示す断面図である。
【符号の説明】
１，２        取付部材
３            被取付部材
４            ボルト（締結手段）
１０          クリップ
１１          仮保持用穴
１２          クリップ本体
１３            ツマミ
１４          係止片（仮保持手段）
１５                    係止爪
１６          解除ピン（解除手段）
１７          解除ピンの受圧面
２２          係止爪の傾斜面
２３          仮保持用穴の周縁部
【図１】
2004251339.tif 000003
【図２】
2004251339.tif 000004
【図３】
2004251339.tif 000005
【図４】
2004251339.tif 000006
【図５】
2004251339.tif 000007
【図６】
2004251339.tif 000008
【図７】
2004251339.tif 000009
【図８】
2004251339.tif 000010
【図９】
2004251339.tif 000011